(57)【要約】【課題】必要な照度を確保するまでの時間差を無くしつつ省電力化を図る。【解決手段】照明装置は、商用交流電源ＡＣから電源供給を受けて蛍光灯Ｌａ１を点灯する蛍光灯点灯回路部１と、商用交流電源ＡＣからの通電を制御することで補助光源たる白熱灯Ｌａ２の点灯・消灯を切り替える白熱灯点灯回路部２と、検知エリアにおける人の存在を検知する人体検知回路部３と、周囲照度を検出する照度検出回路部４と、人体検知回路部３の検知結果と照度検出回路部４で検出する周囲照度とに応じて蛍光灯点灯回路部１に制御信号を出力する蛍光灯制御回路部５とを備えている。蛍光灯Ｌａ１の先行予熱期間においては補助光源たる白熱灯Ｌａ２を点灯することによって必要な照度を確保するまでの時間差を無くすることができる。さらに蛍光灯Ｌａ１が始動して安定点灯状態に移行した後に白熱灯Ｌａ２を消灯することで無駄な電力消費を無くして省電力化が図れる。【選択図】図１
2008243456.tif 000002
【特許請求の範囲】
【請求項１】
予熱形電極付きの蛍光灯を点灯する蛍光灯点灯手段と、蛍光灯点灯手段による予熱期間よりも短い時間で前記蛍光灯以外の補助光源を点灯する補助光源点灯手段と、蛍光灯点灯手段並びに補助光源点灯手段に対して蛍光灯並びに補助光源の点灯・消灯を指示する制御手段とを備え、
制御手段は、蛍光灯点灯手段及び補助光源点灯手段に対して同時に点灯を指示するとともに蛍光灯が始動して安定点灯状態に移行した後に補助光源点灯手段に対して消灯を指示することを特徴とする照明装置。
【請求項２】
検知エリアにおける人の存在を検知する人体検知手段を備え、
制御手段は、人体検知手段で人の存在が検知されている期間並びに当該期間から所定の点灯保持時間が経過するまでの期間において蛍光灯点灯手段に対して点灯を指示することを特徴とする請求項１記載の照明装置。
【請求項３】
制御手段は、前記点灯保持時間が経過したら蛍光灯点灯手段に対して消灯を指示するとともに補助光源点灯手段に対しては一定時間の点灯を指示することを特徴とする請求項２記載の照明装置。
【請求項４】
蛍光灯の寿命を検出する寿命検出手段を備え、
制御手段は、寿命検出手段が蛍光灯の寿命末期を検出したときに補助光源点灯手段に対して点灯を指示することを特徴とする請求項１〜３の何れか１項に記載の照明装置。
【請求項５】
周囲照度を検出する照度検出手段を備え、
制御手段は、照度検出手段が検出する周囲照度が所定のしきい値以下である場合に補助光源点灯手段に対して点灯を指示し、前記周囲照度がしきい値以下であれば人体検知手段で人の存在が検知されている期間並びに当該期間から所定の点灯保持時間が経過するまでの期間において蛍光灯点灯手段に対して点灯を指示することを特徴とする請求項３記載の照明装置。
【発明の詳細な説明】
【技術分野】
【０００１】
本発明は、照明装置に関するものである。
【背景技術】
【０００２】
一般に予熱形電極付きの蛍光灯を点灯する場合、蛍光灯の電極を先行予熱する期間が必要であるため、蛍光灯を点灯させるイベントが発生してから実際に蛍光灯が点灯して必要な照度を確保することができるまでに最大で数秒程度の時間差が生じてしまう。このような問題を解決した照明装置として、点灯信号を受けて蛍光灯を点灯させる蛍光灯点灯回路部と、点灯信号を受けて白熱灯を点灯させる白熱灯点灯回路部と、人体を検出する人体検出部と、人体検出部による人体検出信号を受けて蛍光灯点灯回路部並びに白熱灯点灯回路部に点灯信号又は消灯信号を出力する制御部とを備え、人体検出部により人体が検出された場合に、制御部は、先に白熱灯を点灯させ、蛍光灯は十分に予熱を行った後に点灯させるようにしたものが提案されている（例えば、特許文献１並びに特許文献２参照）。
【０００３】
すなわち、上記従来装置では蛍光灯の先行予熱期間に白熱灯を点灯することで必要な照度を確保するまでの時間差をほぼ無くすことができる。
【特許文献１】特開平９−１９９２７９号公報
【特許文献２】特開２０００−１００５８３号公報
【発明の開示】
【発明が解決しようとする課題】
【０００４】
ところで、上記従来例では蛍光灯の点灯後も白熱灯の点灯を継続し、蛍光灯を消灯する際に白熱灯も同時に消灯するようになっている。このため、蛍光灯のみで必要な照度が確保できる場合においても白熱灯を点灯することで無駄な電力が消費されてしまうという問題があった。
【０００５】
本発明は上記事情に鑑みて為されたものであり、その目的は、必要な照度を確保するまでの時間差を無くしつつ省電力化が図れる照明装置を提供することにある。
【課題を解決するための手段】
【０００６】
請求項１の発明は、上記目的を達成するために、予熱形電極付きの蛍光灯を点灯する蛍光灯点灯手段と、蛍光灯点灯手段による予熱期間よりも短い時間で前記蛍光灯以外の補助光源を点灯する補助光源点灯手段と、蛍光灯点灯手段並びに補助光源点灯手段に対して蛍光灯並びに補助光源の点灯・消灯を指示する制御手段とを備え、制御手段は、蛍光灯点灯手段及び補助光源点灯手段に対して同時に点灯を指示するとともに蛍光灯が始動して安定点灯状態に移行した後に補助光源点灯手段に対して消灯を指示することを特徴とする。
【０００７】
請求項２の発明は、請求項１の発明において、検知エリアにおける人の存在を検知する人体検知手段を備え、制御手段は、人体検知手段で人の存在が検知されている期間並びに当該期間から所定の点灯保持時間が経過するまでの期間において蛍光灯点灯手段に対して点灯を指示することを特徴とする。
【０００８】
請求項３の発明は、請求項２の発明において、制御手段は、前記点灯保持時間が経過したら蛍光灯点灯手段に対して消灯を指示するとともに補助光源点灯手段に対しては一定時間の点灯を指示することを特徴とする。
【０００９】
請求項４の発明は、請求項１〜３の何れか１項の発明において、蛍光灯の寿命を検出する寿命検出手段を備え、制御手段は、寿命検出手段が蛍光灯の寿命末期を検出したときに補助光源点灯手段に対して点灯を指示することを特徴とする。
【００１０】
請求項５の発明は、請求項３の発明において、周囲照度を検出する照度検出手段を備え、制御手段は、照度検出手段が検出する周囲照度が所定のしきい値以下である場合に補助光源点灯手段に対して点灯を指示し、前記周囲照度がしきい値以下であれば人体検知手段で人の存在が検知されている期間並びに当該期間から所定の点灯保持時間が経過するまでの期間において蛍光灯点灯手段に対して点灯を指示することを特徴とする。
【発明の効果】
【００１１】
請求項１の発明によれば、制御手段は、蛍光灯点灯手段及び補助光源点灯手段に対して同時に点灯を指示するとともに蛍光灯が始動して安定点灯状態に移行した後に補助光源点灯手段に対して消灯を指示するので、蛍光灯の先行予熱期間においては補助光源を点灯することによって必要な照度を確保するまでの時間差を無くすることができ、さらに蛍光灯が始動して安定点灯状態に移行した後に補助光源を消灯することで無駄な電力消費を無くして省電力化が図れる。
【００１２】
請求項２の発明によれば、制御手段は、人体検知手段で人の存在が検知されている期間並びに当該期間から所定の点灯保持時間が経過するまでの期間において蛍光灯点灯手段に対して点灯を指示するので、検知エリアに人が存在している間だけ照明を行うことで省エネルギ化が図れる。
【００１３】
請求項３の発明によれば、制御手段は、前記点灯保持時間が経過したら蛍光灯点灯手段に対して消灯を指示するとともに補助光源点灯手段に対しては一定時間の点灯を指示するので、検知エリアから人が居なくなった後も補助光源を一定時間だけ点灯することで使い勝手が向上できる。
【００１４】
請求項４の発明によれば、蛍光灯の寿命を検出する寿命検出手段を備え、制御手段は、寿命検出手段が蛍光灯の寿命末期を検出したときに補助光源点灯手段に対して点灯を指示するので、補助光源の点灯によって蛍光灯が寿命末期に達したことを使用者に報知して蛍光灯の交換を促すことができる。
【００１５】
請求項５の発明によれば、制御手段は、照度検出手段が検出する周囲照度が所定のしきい値以下である場合に補助光源点灯手段に対して点灯を指示し、前記周囲照度がしきい値以下であれば人体検知手段で人の存在が検知されている期間並びに当該期間から所定の点灯保持時間が経過するまでの期間において蛍光灯点灯手段に対して点灯を指示するので、周囲照度がしきい値以下の場合にだけ照明を行うことで省エネルギ化が図れる。
【発明を実施するための最良の形態】
【００１６】
（実施形態１）
本実施形態の照明装置は、図１に示すように商用交流電源ＡＣから電源供給を受けて蛍光灯Ｌａ１を点灯する蛍光灯点灯回路部１と、商用交流電源ＡＣからの通電を制御することで補助光源たる白熱灯Ｌａ２の点灯・消灯を切り替える白熱灯点灯回路部２と、検知エリアにおける人の存在を検知する人体検知回路部３と、周囲照度を検出する照度検出回路部４と、人体検知回路部３の検知結果と照度検出回路部４で検出する周囲照度とに応じて蛍光灯点灯回路部１に制御信号を出力する蛍光灯制御回路部５とを備えている。
【００１７】
蛍光灯点灯回路部１はいわゆる蛍光灯電子安定器と呼ばれるものであって、例えば、半導体スイッチング素子とチョークコイルやコンデンサなどから構成されるインバータを有し、図示しないインバータ制御回路で半導体スイッチング素子のスイッチング周波数を変化させることで先行予熱モード、始動モード、点灯モードの各動作モードを経由して蛍光灯Ｌａ１を始動点灯させている。但し、このような蛍光灯電子安定器については従来周知であるから詳細な構成並びに動作の図示並びに説明は省略する。
【００１８】
白熱灯点灯回路部２は、例えば、商用交流電源ＡＣから白熱灯Ｌａ２への給電経路に挿入されたスイッチ要素を有し、当該スイッチ要素をオン・オフすることで商用交流電源ＡＣから白熱灯Ｌａ２への給電を入切して白熱灯Ｌａ２を点灯及び消灯するものである。なお、スイッチ要素は、蛍光灯点灯回路部１に設けられている信号出力端子１ａから出力される信号（以下、白熱灯点灯信号と呼ぶ。）がハイレベルの時にオンとなって給電経路を閉じ、白熱灯点灯信号がローレベルの時にオフとなって給電経路を開くようになっている。
【００１９】
人体検知回路部３は、人体から放射される熱線（赤外線）を焦電素子で感知することによって人体を検知するとともに人体を検知しているときにハイレベル、検知していないときにローレベルとなる信号（以下、人体検知信号と呼ぶ。）を蛍光灯制御回路部５に出力している。
【００２０】
周囲照度検出回路部４は、太陽電池のような光電変換素子で光を電気信号に変換しており、光の強さ（周囲照度）に応じたレベルの信号（以下、照度検出信号と呼ぶ。）を蛍光灯制御回路部５に出力している。
【００２１】
蛍光灯制御回路部５は、例えば、マイクロコンピュータを主構成要素とするものであって、照度検出信号が所定のしきい値を超えている間は蛍光灯Ｌａ１及び白熱灯Ｌａ２の何れも点灯させないが、照度検出信号がしきい値以下となっているときに人体検知信号がハイレベルになると、蛍光灯制御回路部５に対して蛍光灯Ｌａ１の点灯を指示する制御信号（ハイレベルの信号）を出力し、人体検知信号がローレベルになってから所定の点灯保持時間が経過したら蛍光灯Ｌａ１の消灯を指示する制御信号（ローレベルの信号）を出力する。
【００２２】
蛍光灯点灯回路部１では、蛍光灯制御回路部５から入力する制御信号がローレベルからハイレベルに立ち上がると、図示しないインバータ制御回路が蛍光灯Ｌａ１とチョークコイルやコンデンサを含む共振回路の共振周波数（無負荷共振周波数）よりも高い周波数で半導体スイッチング素子をスイッチングして一定期間（以下、先行予熱期間という。）だけ先行予熱を行う（先行予熱モード）。そして、先行予熱期間が経過したら、インバータ制御回路は前記共振周波数へ近付ける向きに半導体スイッチング素子のスイッチング周波数を下降させることで蛍光灯Ｌａ１に始動電圧を印加し（始動モード）、蛍光灯Ｌａ１が始動したら点灯時の共振周波数よりも高い所定の周波数（点灯周波数）で半導体スイッチング素子をスイッチングすることによって蛍光灯Ｌａ１を安定点灯させる（点灯モード）。ここで、インバータ制御回路においては、蛍光灯制御回路部５から入力する制御信号の立ち上がりに同期して信号出力端子１ａから出力する白熱灯点灯信号をハイレベルに立ち上げ、点灯モードに移行してから一定時間が経過したら白熱灯点灯信号をローレベルとしている。
【００２３】
次に、図２のタイムチャートを参照して本実施形態の動作を説明する。
【００２４】
蛍光灯制御回路部５は、照度検出信号がしきい値を超えている間は例え人体検知信号がハイレベルになっても蛍光灯Ｌａ１の点灯を指示する制御信号を出力せず（〜ｔ１）、照度検出信号がしきい値以下となっているときに人体検知信号がハイレベルになれば（ｔ２）、蛍光灯点灯回路部１に対して蛍光灯Ｌａ１の点灯を指示するハイレベルの制御信号を出力する。蛍光灯制御回路部５からハイレベルの制御信号が入力されると、蛍光灯点灯回路部１ではインバータ制御回路が起動すると同時にハイレベルの白熱灯点灯信号を信号出力端子１ａから出力する。そして、ハイレベルの白熱灯点灯信号が入力された白熱灯点灯回路部２ではスイッチ要素がオンすることで商用交流電源ＡＣから給電された白熱灯Ｌａ２が直ちに点灯する。また、インバータ制御回路は起動から所定時間が経過すると先行予熱モードで蛍光灯Ｌａ１の電極を先行予熱し（ｔ３）、先行予熱期間が経過したら始動モードに移行して蛍光灯Ｌａ１を始動し（ｔ４）、さらに蛍光灯Ｌａ１が始動したら点灯モードに移行して蛍光灯Ｌａ１を安定点灯させる（ｔ５）。なお、安定点灯時の蛍光灯Ｌａ１の光出力を１００％とすると、始動モードでは始動してから安定点灯に至るまでの蛍光灯Ｌａ１の光出力は約６０％となる。さらに、点灯モードに移行してから所定時間が経過するとインバータ制御回路が白熱灯点灯信号をローレベルに立ち下げ、白熱灯点灯回路部２のスイッチ要素をオフして白熱灯Ｌａ２を消灯する（ｔ６）。
【００２５】
すなわち、時刻ｔ２〜ｔ６においては照明装置の光出力が段階的に上昇して所望の照度を得ることができる。また、蛍光灯Ｌａ１の先行予熱期間（ｔ３〜ｔ４）においては白熱灯Ｌａ２が点灯することで蛍光灯Ｌａ１が点灯するまでの時間差を無くすことができる。
【００２６】
一方、人体検知信号がローレベルに立ち下がった時点より所定の点灯保持時間が経過したら、蛍光灯制御回路部５が蛍光灯Ｌａ１の消灯を指示するローレベルの制御信号を蛍光灯点灯回路部１に出力する（ｔ７）。蛍光灯点灯回路部１では、ローレベルの制御信号が入力されるとインバータ制御回路がハイレベルの白熱灯点灯信号を信号出力端子１ａから出力して白熱灯Ｌａ２が直ちに点灯する（ｔ７）。そして、インバータ制御回路はハイレベルの白熱灯点灯信号を出力してから一定時間が経過したら半導体スイッチング素子のスイッチングを停止して蛍光灯Ｌａ１を消灯する（ｔ８）。さらに、蛍光灯Ｌａ１の消灯後、所定時間が経過したらインバータ制御回路が白熱灯点灯信号をローレベルに立ち下げて白熱灯Ｌａ２が消灯する（ｔ９）。
【００２７】
すなわち、時刻ｔ７〜ｔ９においては照明装置の光出力が段階的に下降して最終的にゼロとなるため、突然照明が消えてしまうことによる不便さを軽減することができる。
【００２８】
上述のように本実施形態によれば、蛍光灯Ｌａ１の先行予熱期間においては補助光源たる白熱灯Ｌａ２を点灯することによって必要な照度を確保するまでの時間差を無くすることができ、さらに蛍光灯Ｌａ１が始動して安定点灯状態に移行した後に白熱灯Ｌａ２を消灯することで無駄な電力消費を無くして省電力化が図れる。
【００２９】
ところで、電極に塗布されているエミッタ（熱電子放射物質）が消耗して蛍光灯Ｌａ１が寿命末期に達すると、蛍光灯Ｌａ１がいわゆる半波放電という異常な放電状態となる。そこで、かかる異常な放電状態を検出する機能（寿命検出機能）をインバータ制御回路に搭載し、異常放電が検出されたとき、つまり、蛍光灯Ｌａ１が寿命末期に達したときにインバータ制御回路からハイレベルの白熱灯点灯信号を出力することで白熱灯Ｌａ２を点灯すれば、蛍光灯Ｌａ１が寿命末期に達したことを使用者に報知して蛍光灯Ｌａ１の交換を促すことができる。
【００３０】
（実施形態２）
本実施形態の照明装置は、図３に示すように蛍光灯Ｌａ１を点灯する蛍光灯点灯回路部１０と、商用交流電源ＡＣから蛍光灯点灯回路部１０への電源供給を入切する電源制御回路部１１と、複数個の白色発光ダイオードで構成された補助光源部１２と、発光ダイオードを駆動して補助光源部１２を点灯させる補助光源点灯回路部１３と、検知エリアにおける人の存在を検知する人体検知回路部１４と、周囲照度を検出する照度検出回路部１５とを備えている。
【００３１】
蛍光灯点灯回路部１０は、商用交流電源ＡＣから電源制御回路部１１を介して供給される交流電圧を全波整流するダイオードブリッジＤＢと、ダイオードブリッジＤＢで全波整流された脈流電圧を入力電圧とする力率改善用の昇圧チョッパ回路ＣＨと、２つの半導体スイッチング素子Ｑ２，Ｑ３を昇圧チョッパ回路ＣＨの出力端間に接続しローサイドの半導体スイッチング素子Ｑ３のソース・ドレイン間に直流カット用のコンデンサＣとチョークコイルＬを介して蛍光灯Ｌａ１並びに予熱用コンデンサＣｍが接続されるハーフブリッジ形のインバータ回路ＩＮＶと、昇圧チョッパ回路ＣＨを構成する半導体スイッチング素子Ｑ１をＰＷＭ制御することで所望の直流出力電圧をインバータ回路ＩＮＶに印加させるとともにインバータ回路ＩＮＶを構成する２つの半導体スイッチング素子Ｑ２，Ｑ３を交互にスイッチングするとともにスイッチング周波数を変化させることで先行予熱モード、始動モード、点灯モードの各動作モードを経由して蛍光灯Ｌａ１を始動点灯させる制御回路部１６とを具備している。但し、昇圧チョッパ回路ＣＨ並びにハーフブリッジ形のインバータ回路ＩＮＶについては従来周知であるから詳細な説明は省略する。
【００３２】
制御回路部１６はマイクロコンピュータを主構成要素とし、さらに昇圧チョッパ回路ＣＨの直流出力電圧を降圧して１０〜５Ｖ程度の制御電圧を作成するレギュレータ（図示せず）も有している。そして、レギュレータで作成した制御電圧が電解コンデンサＣ０を介して補助光源点灯回路部１３に供給されている。
【００３３】
補助光源点灯回路部１３は、制御回路部１６から供給される制御電圧を印加することで補助光源部１２を点灯するとともに制御電圧の印加を停止することで補助光源部１２を消灯するものである。なお、補助光源点灯回路部１３では制御回路部１６に設けられている信号出力端子１６ａから出力される信号（以下、ＬＥＤ点灯信号と呼ぶ。）がローレベルの時に制御電圧を補助光源部１２に印加し、ＬＥＤ点灯信号がハイレベルの時に制御電圧を補助光源部１２に印加しないように動作する。
【００３４】
照度検出回路部１５は、太陽電池のような光電変換素子で光を電気信号に変換し、光の強さ（周囲照度）に応じたレベルの照度検出信号を電源制御回路部１１に出力している。
【００３５】
電源制御回路部１１は、照度検出信号が所定のしきい値を超えている間は商用交流電源ＡＣから蛍光灯点灯回路部１０への電源供給をオフとし、照度検出信号がしきい値以下となる間は商用交流電源ＡＣから蛍光灯点灯回路部１０への電源供給をオンとする。
【００３６】
人体検知回路部１４は、人体から放射される熱線（赤外線）を焦電素子で感知することによって人体を検知するとともに人体を検知しているときにハイレベル、検知していないときにローレベルとなる人体検知信号を出力するセンサ部１４ａと、電源制御回路部１１が商用交流電源ＡＣから蛍光灯点灯回路部１０への電源供給をオンとしているときにセンサ部１４ａから人体検知信号が入力された場合に所定の点灯保持時間だけハイレベルの点灯信号を制御回路部１６に出力する点灯信号出力部１４ｂとを有している。
【００３７】
次に、図４のタイムチャートを参照して本実施形態の動作を説明する。
【００３８】
電源制御回路部１１では照度検出信号がしきい値を超えている間は商用交流電源ＡＣから蛍光灯点灯回路部１０への電源供給をオフするため、蛍光灯Ｌａ１は消灯したままとなり、また、制御回路部１６から制御電圧も供給されないので補助光源部１２も消灯したままである。そして、照度検出信号がしきい値以下になると（ｔ１）、電源制御回路部１１が商用交流電源ＡＣから蛍光灯点灯回路部１０への電源供給をオンするため、制御回路部１６が起動して低レベルの制御電圧（＝５Ｖ）を出力し、かかる制御電圧が補助光源点灯回路部１３を介して補助光源部１２に印加されることで補助光源部１２が定格点灯時の半分（５０％）の光出力で点灯する。また、制御電圧が供給されることで人体検知回路部１４が動作し、センサ部１４ａから人体検知信号が出力されると点灯信号出力部１４ｂからハイレベルの点灯信号が制御回路部１６に出力される（ｔ２）。ハイレベルの点灯信号が入力されると、制御回路部１６では昇圧チョッパ回路ＣＨを起動した後にインバータ回路ＩＮＶを起動して先行予熱モードで蛍光灯Ｌａ１の電極を先行予熱する（ｔ３）。昇圧チョッパ回路ＣＨが起動すると制御回路部１６が高レベルの制御電圧（＝１０Ｖ）を出力するため、かかる制御電圧が補助光源点灯回路部１３を介して補助光源部１２に印加されることで補助光源部１２が定格点灯（１００％点灯）する。先行予熱期間が経過したら、制御回路部１６は始動モードに移行して蛍光灯Ｌａ１を始動し（ｔ４）、さらに蛍光灯Ｌａ１が始動したら点灯モードに移行して蛍光灯Ｌａ１を安定点灯させる（ｔ５）。なお、安定点灯時の蛍光灯Ｌａ１の光出力を１００％とすると、始動モードでは始動してから安定点灯に至るまでの蛍光灯Ｌａ１の光出力は約６０％となる。さらに、点灯モードに移行してから所定時間が経過すると制御回路部１６はＬＥＤ点灯信号をハイレベルに立ち上げ、補助光源点灯回路部１３を停止させて補助光源部１２を消灯する（ｔ６）。
【００３９】
すなわち、周囲照度が低下してしきい値以下になると補助光源部１２が定格点灯時の半分の光出力で点灯し（ｔ１〜ｔ２）、その後、検知エリア内で人が検出されると照明装置の光出力が段階的に上昇して所望の照度を得ることができる。また、蛍光灯Ｌａ１の先行予熱期間（ｔ３〜ｔ４）においては補助光源部１２が点灯することで蛍光灯Ｌａ１が点灯するまでの時間差を無くすことができる。
【００４０】
一方、人体検知信号がローレベルに立ち下がった時点より所定の点灯保持時間が経過したら、点灯信号出力部１４ｂから制御回路部１６にローレベルの点灯信号が出力される（ｔ７）。制御回路部１６では、ローレベルの点灯信号が入力されるとＬＥＤ点灯信号をローレベルに立ち下げて補助光源部１２を直ちに定格点灯させる（ｔ７）。そして、制御回路部１６はローレベルのＬＥＤ点灯信号を出力してから一定時間が経過したらインバータ回路ＩＮＶ並びに昇圧チョッパ回路ＣＨを停止して蛍光灯Ｌａ１を消灯する（ｔ８）。昇圧チョッパ回路ＣＨが停止すると制御電圧が低レベルとなるため、補助光源部１２は定格点灯時の半分の光出力で点灯する。さらに、照度検出信号がしきい値を超えると電源制御回路部１１が商用交流電源ＡＣから蛍光灯点灯回路部１０への電源供給をオフするため、制御回路部１６から制御電圧が供給されなくなって補助光源部１２が消灯する（ｔ９）。
【００４１】
すなわち、時刻ｔ７〜ｔ９においては照明装置の光出力が段階的に下降して最終的にゼロとなるため、突然照明が消えてしまうことによる不便さを軽減することができる。
【００４２】
上述のように本実施形態によれば、蛍光灯Ｌａ１の先行予熱期間においては補助光源部１２を点灯することによって必要な照度を確保するまでの時間差を無くすることができ、さらに蛍光灯Ｌａ１が始動して安定点灯状態に移行した後に補助光源部１２を消灯することで無駄な電力消費を無くして省電力化が図れる。
【００４３】
なお、実施形態１と同様に蛍光灯Ｌａ１の寿命末期検出機能を制御回路部１６に搭載し、異常放電が検出されたとき、つまり、蛍光灯Ｌａ１が寿命末期に達したときに制御回路部１６からローレベルのＬＥＤ点灯信号を出力することで補助光源部１２を点灯し、蛍光灯Ｌａ１が寿命末期に達したことを使用者に報知して蛍光灯Ｌａ１の交換を促すようにしても構わない。
【図面の簡単な説明】
【００４４】
【図１】本発明の実施形態１を示す回路ブロック図である。
【図２】同上の動作説明用のタイムチャートである。
【図３】本発明の実施形態２を示す回路ブロック図である。
【図４】同上の動作説明用のタイムチャートである。
【符号の説明】
【００４５】
１  蛍光灯点灯回路部
２  白熱灯点灯回路部
３  人体検知回路部
４  周囲照度検出回路部
５  蛍光灯制御回路部
Ｌａ１  蛍光灯
Ｌａ２  白熱灯
ＡＣ  商用交流電源
【図１】
2008243456.tif 000003
【図２】
2008243456.tif 000004
【図３】
2008243456.tif 000005
【図４】
2008243456.tif 000006